【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
ポータブル電気エネルギー蓄積デバイス用保障システムであって、
少なくとも１つのコントローラと、
前記少なくとも１つのコントローラと結合された少なくとも１つの通信モジュールと、を備えており、
前記少なくとも１つのコントローラは、
前記通信モジュールを介して外部デバイスの認証に係る情報を受信し、
受信した前記認証に係る情報に基づいて、前記ポータブル電気エネルギー蓄積デバイス用ロック機構をロック解除するかの判断をする、
ように構成されており、
前記少なくとも１つのコントローラは、前記判断を行なうために、
前記外部デバイスに送信するチャレンジ鍵を生成し、
前記チャレンジ鍵を前記外部デバイスに送信し、
前記認証に係る情報の一部として応答コードを含んでいる前記チャレンジ鍵の送信に対する応答を前記外部デバイスから受信し、
秘密鍵と前記応答コードを入力として用いて、前記ポータブル電気エネルギー蓄積デバイス用保障システムおよび少なくとも１つの承認された外部デバイスにのみ知られている秘密アルゴリズムから出力を生成し、
前記秘密アルゴリズムから生成された前記出力を前記応答コードと比較する、
ように構成されており、
前記少なくとも１つのコントローラは、前記比較に基づいて、前記ポータブル電気エネルギー蓄積デバイス用ロック機構をロック解除するかの判断をし、前記認証に係る情報の受信に応じて、前記判断に基づき、動作可能に車両と接続された状態からのポータブル電気エネルギー蓄積デバイスの取外しを可能にするために、ポータブル電気エネルギー蓄積デバイス用ロック機構をロック解除するように構成されている、
ポータブル電気エネルギー蓄積デバイス用保障システム。
【請求項２】
前記ポータブル電気エネルギー蓄積デバイス用保障システムは、前記車両に結合されているか、前記ポータブル電気エネルギー蓄積デバイスの一部として統合されている、
請求項１に記載のポータブル電気エネルギー蓄積デバイス用保障システム。
【請求項３】
前記外部デバイスは、車両サービスセンタに設置されたデバイスである、
請求項３に記載のポータブル電気エネルギー蓄積デバイス用保障システム。
【請求項４】
前記少なくとも１つの通信モジュールは、
無線信号を介して前記認証に係る情報を受信し、
前記情報を前記少なくとも１つのコントローラに通信して前記ポータブル電気エネルギー蓄積デバイス用ロック機構をロック解除することにより、動作可能に車両と接続された状態からの前記ポータブル電気エネルギー蓄積デバイスの取外しを可能にする、
ように構成されている、
請求項１に記載のポータブル電気エネルギー蓄積デバイス用保障システム。
【請求項５】
ポータブル電気エネルギー蓄積デバイス用保障システムであって、
少なくとも１つのコントローラと、
前記少なくとも１つのコントローラと結合された少なくとも１つの通信モジュールと、
前記少なくとも１つのコントローラと結合されたポータブル電気エネルギー蓄積デバイス用ロック機構と、
前記ポータブル電気エネルギー蓄積デバイス用ロック機構および前記少なくとも１つのコントローラと結合されたスイッチと、
を備えており、
前記スイッチは、前記少なくとも１つのコントローラにより生成された制御信号により作動されるように構成されており、
前記少なくとも１つのコントローラは、
前記通信モジュールを介して外部デバイスの認証に係る情報を受信し、
前記認証に係る情報の受信に応じて、動作可能に車両と接続された状態からのポータブル電気エネルギー蓄積デバイスの取外しを可能にするために、ポータブル電気エネルギー蓄積デバイス用ロック機構をロック解除する前記制御信号を送信することにより、前記ポータブル電気エネルギー蓄積デバイス用ロック機構をロック解除し、
所定期間の経過後に前記通信モジュールを介して前記認証に係る情報が受信されていない場合、動作可能に車両と接続された状態からの前記ポータブル電気エネルギー蓄積デバイスの取外しを不能にするために、前記ポータブル電気エネルギー蓄積デバイス用ロック機構をロックするように前記制御信号を送信する、
ように構成されている、
ポータブル電気エネルギー蓄積デバイス用保障システム。
【請求項６】
前記少なくとも１つのコントローラは、前記外部デバイスから送信された無線信号を介して前記認証に係る情報を受信するように構成されており、
前記通信モジュールから特定の最大距離外では、前記無線信号は検出不能である、
請求項５に記載のポータブル電気エネルギー蓄積デバイス用保障システム。
【請求項７】
前記無線信号は、前記少なくとも１つのコントローラによる前記外部デバイスの認証のためのローリングコードである、
請求項６に記載のポータブル電気エネルギー蓄積デバイス用保障システム。
【請求項８】
前記少なくとも１つのコントローラに結合されており、前記ポータブル電気エネルギー蓄積デバイス用ロック機構に電力を供給するように前記ポータブル電気エネルギー蓄積デバイスおよび前記ポータブル電気エネルギー蓄積デバイス用ロック機構に結合されるように構成された電力インタフェースをさらに備えている、
請求項５に記載のポータブル電気エネルギー蓄積デバイス用保障システム。
【請求項９】
前記ポータブル電気エネルギー蓄積デバイスが前記ポータブル電気エネルギー蓄積デバイス用ロック機構の動作に十分な電力を供給できない場合、前記電力インタフェースは、前記ポータブル電気エネルギー蓄積デバイス用ロック機構に電力を供給するように前記ポータブル電気エネルギー蓄積デバイスとは別の補助電源と結合されるように構成されている、
請求項８に記載のポータブル電気エネルギー蓄積デバイス用保障システム。
【請求項１０】
ポータブル電気エネルギー蓄積デバイス用保障システムを動作させる方法であって、
前記ポータブル電気エネルギー蓄積デバイス用保障システムにより、外部デバイスの認証に係る情報を受信し、
前記ポータブル電気エネルギー蓄積デバイス用保障システムにより、前記認証に係る情報に基づいて、動作可能に車両と接続された状態からのポータブル電気エネルギー蓄積デバイスの取外しを可能にするためにポータブル電気エネルギー蓄積デバイス用ロック機構をロック解除するかについて判断し、
前記認証に係る情報に基づいて前記外部デバイスが認証された場合、動作可能に前記車両と接続された状態からのポータブル電気エネルギー蓄積デバイスの取外しを可能にするために、前記ポータブル電気エネルギー蓄積デバイス用ロック機構をロック解除するように前記ポータブル電気エネルギー蓄積デバイス用保障システムのコントローラから信号を送信し、
所定期間の経過後に、前記ポータブル電気エネルギー蓄積デバイス用保障システムの前記通信モジュールを介して前記認証に係る情報が受信されていない場合、動作可能に前記車両と接続された状態からの前記ポータブル電気エネルギー蓄積デバイスの取外しを不能にするために、前記ポータブル電気エネルギー蓄積デバイス用ロック機構をロックするように前記ポータブル電気エネルギー蓄積デバイス用保障システムの前記コントローラから信号を送信する、
方法。
【請求項１１】
前記ポータブル電気エネルギー蓄積デバイス用保障システムは、前記ポータブル電気エネルギー蓄積デバイスの一部として統合されている、
請求項１０に記載の方法。
【請求項１２】
前記ポータブル電気エネルギー蓄積デバイス用保障システムは、前記車両と結合されている、
請求項１０に記載の方法。
【請求項１３】
ポータブル電気エネルギー蓄積デバイス用保障システムを動作させる方法であって、
前記ポータブル電気エネルギー蓄積デバイス用保障システムにより、外部デバイスの認証に係る情報を受信し、
前記ポータブル電気エネルギー蓄積デバイス用保障システムにより、前記認証に係る情報に基づいて、動作可能に車両と接続された状態からのポータブル電気エネルギー蓄積デバイスの取外しを可能にするためにポータブル電気エネルギー蓄積デバイス用ロック機構をロック解除するかについて判断し、
前記判断を行なうにあたって、受信した前記認証に係る情報から得たコードを、前記ポータブル電気エネルギー蓄積デバイス用保障システムに関連付けられた少なくとも１つのコードと比較し、
前記認証に係る情報から得た前記コードが、前記ポータブル電気エネルギー蓄積デバイス用保障システムに関連付けられた少なくとも１つのコードとマッチする場合、動作可能に前記車両と接続された状態からの前記ポータブル電気エネルギー蓄積デバイスの取外しを可能にするために、前記ポータブル電気エネルギー蓄積デバイス用ロック機構をロック解除し、
所定期間の経過後に、前記ポータブル電気エネルギー蓄積デバイス用保障システムの前記通信モジュールを介して前記認証に係る情報が受信されていない場合、あるいは、所定期間の経過後に、前記認証に係る情報から得た前記コードが、前記ポータブル電気エネルギー蓄積デバイス用保障システムに関連付けられた少なくとも１つのコードとマッチしない場合、動作可能に前記車両と接続された状態からの前記ポータブル電気エネルギー蓄積デバイスの取外しを不能にするために、前記ポータブル電気エネルギー蓄積デバイス用ロック機構をロックする、
方法。
【請求項１４】
前記判断を行なうにあたって、
前記外部デバイスに送信するチャレンジ鍵を生成し、
前記チャレンジ鍵を前記外部デバイスに送信し、
前記認証に係る情報の一部として応答コードを含んでいる前記チャレンジ鍵の送信に対する応答を前記外部デバイスから受信し、
秘密鍵と前記応答コードを入力として用いて、前記ポータブル電気エネルギー蓄積デバイス用保障システムおよび少なくとも１つの承認された外部デバイスにのみ知られている秘密アルゴリズムから出力を生成し、
前記秘密アルゴリズムから生成された前記出力を前記応答コードと比較し、
前記ポータブル電気エネルギー蓄積デバイス用ロック機構をロック解除するかの判断は、前記比較に基づいて行なわれる、
請求項１０に記載の方法。
【請求項１５】
ポータブル電気エネルギー蓄積デバイスであって、
バッテリセルと、
前記バッテリセルと結合された保障システムと、
を備えており、
前記保障システムは、
少なくとも１つのコントローラと、
前記少なくとも１つのコントローラと結合された少なくとも１つの通信モジュールと、
前記少なくとも１つのコントローラと結合されたポータブル電気エネルギー蓄積デバイス用ロック機構と、
前記ポータブル電気エネルギー蓄積デバイス用ロック機構および前記少なくとも１つのコントローラと結合されたスイッチと、
を備えており、
前記スイッチは、前記少なくとも１つのコントローラにより生成された制御信号により作動されるように構成されており、
前記コントローラは、
前記外部デバイスが前記認証に係る情報に基づいて認証された場合、動作可能に車両と接続された状態からの前記ポータブル電気エネルギー蓄積デバイスの取外しを可能にするために、前記ポータブル電気エネルギー蓄積デバイス用ロック機構をロック解除するように前記制御信号を送信するように構成されることにより、前記認証に係る情報の受信に応じて、動作可能に車両と接続された状態からのポータブル電気エネルギー蓄積デバイスの取外しを可能にするために、ポータブル電気エネルギー蓄積デバイス用ロック機構をロック解除し、
所定期間の経過後に前記通信モジュールを介して前記認証に係る情報が受信されていない場合、動作可能に車両と接続された状態からの前記ポータブル電気エネルギー蓄積デバイスの取外しを不能にするために、前記ポータブル電気エネルギー蓄積デバイス用ロック機構をロックするように前記制御信号を送信する、
ように構成されている、
ポータブル電気エネルギー蓄積デバイス。
【請求項１６】
前記少なくとも１つのコントローラは、前記認証に係る情報の受信に応じて、動作可能に前記車両と接続された状態からの前記ポータブル電気エネルギー蓄積デバイスの取外しを可能にするために、ポータブル電気エネルギー蓄積デバイス用ロック機構をロック解除するかの判断をするように構成されている、
請求項１５に記載のポータブル電気エネルギー蓄積デバイス。
【請求項１７】
前記ポータブル電気エネルギー蓄積デバイスが前記ポータブル電気エネルギー蓄積デバイス用ロック機構の動作に十分な電力を供給できない場合、前記ポータブル電気エネルギー蓄積デバイス用ロック機構に電力を供給するように、前記少なくとも１つのコントローラおよび前記ポータブル電気エネルギー蓄積デバイスとは別の補助電源と結合されるように構成されている電力インタフェースをさらに備えている、
請求項１５に記載のポータブル電気エネルギー蓄積デバイス。
【請求項１８】
前記保障システムは、
ポータブル電気エネルギー蓄積デバイス用回収充電分配機から送信される無線信号を介して外部デバイスの認証に係る情報を受信し、
無線を介して受信した前記外部デバイスの認証に係る情報に基づいて、動作可能に車両と接続された状態からの前記ポータブル電気エネルギー蓄積デバイスの取外しを可能にする、
ように構成されており、
前記ポータブル電気エネルギー用回収充電分配機から受信される前記無線信号は、前記ポータブル電気エネルギー蓄積デバイス用保障システムの通信モジュールから特定の最大距離外においては検出不能である、
請求項１５に記載のポータブル電気エネルギー蓄積デバイス。
【請求項１９】
コンピュータにより実行可能な命令群を記憶したコンピュータにより読み取り可能かつ非一時的な媒体であって、
前記命令群が実行されることにより、少なくとも１つのコンピュータプロセッサに、
ポータブル電気エネルギー蓄積デバイス用保障システムに、通信モジュールを介して外部デバイスの認証に係る情報を受信させ、
動作可能に車両と接続された状態からのポータブル電気エネルギー蓄積デバイスの取外しを可能にさせるために、前記認証に係る情報に基づいて、ポータブル電気エネルギー蓄積デバイス用ロック機構のロックを解除するかの判断をさせ、
前記認証に係る情報に基づいて前記外部デバイスが認証された場合、動作可能に前記車両と接続された状態からのポータブル電気エネルギー蓄積デバイスの取外しを可能にするために、前記ポータブル電気エネルギー蓄積デバイス用ロック機構をロック解除するように前記ポータブル電気エネルギー蓄積デバイス用保障システムのコントローラから信号を送信させ、
所定期間の経過後に、前記ポータブル電気エネルギー蓄積デバイス用保障システムの通信モジュールを介して前記認証に係る情報が受信されていない場合、動作可能に前記車両と接続された状態からの前記ポータブル電気エネルギー蓄積デバイスの取外しを不能にするために、前記ポータブル電気エネルギー蓄積デバイス用ロック機構をロックするように前記ポータブル電気エネルギー蓄積デバイス用保障システムの前記コントローラから信号を送信させる、
媒体。
【請求項２０】
ポータブル電気エネルギー蓄積デバイス用保障システムであって、
少なくとも１つのコントローラと、
前記少なくとも１つのコントローラと結合された少なくとも１つの通信モジュールとを備えており、
前記少なくとも１つのコントローラは、
前記通信モジュールを介して外部デバイスの認証に係る情報を受信し、
動作可能に車両と接続された状態からの前記ポータブル電気エネルギー蓄積デバイスの取外しを可能にするために、前記認証に係る情報に基づいて、ポータブル電気エネルギー蓄積デバイス用ロック機構をロック解除するかの判断をし、
前記判断にあたっては、受信した前記認証に係る情報から得たコードを、前記ポータブル電気エネルギー蓄積デバイス用保障システムに関連付けられた少なくとも１つのコードと比較し、
前記認証に係る情報から得た前記コードが、前記ポータブル電気エネルギー蓄積デバイスに関連付けられた少なくとも１つのコードとマッチする場合、動作可能に前記車両と接続された状態からの前記ポータブル電気エネルギー蓄積デバイスの取外しを可能にするために、前記ポータブル電気エネルギー蓄積デバイス用ロック機構をロック解除する信号を送信し、
所定期間の経過後に、前記ポータブル電気エネルギー蓄積デバイスの通信モジュールを介して前記認証に係る情報が受信されていない場合、あるいは、所定期間の経過後に、前記認証に係る情報から得た前記コードが、前記ポータブル電気エネルギー蓄積デバイス用保障システムに関連付けられた少なくとも１つのコードとマッチしない場合、動作可能に前記車両と接続された状態からの前記ポータブル電気エネルギー蓄積デバイスの取外しを不能にするために、前記ポータブル電気エネルギー蓄積デバイス用ロック機構をロックする信号を送信する、
ように構成されている、
ポータブル電気エネルギー蓄積デバイス用保障システム。
【請求項２１】
コンピュータにより実行可能な命令群を記憶したコンピュータにより読み取り可能かつ非一時的な媒体であって、
前記命令群が実行されることにより、少なくとも１つのコンピュータプロセッサに、
通信モジュールを介して外部デバイスの認証に係る情報を受信させ、
前記認証に係る情報に基づいて、ポータブル電気エネルギー蓄積デバイス用ロック機構をロック解除するかの判断をさせ、
前記判断をさせるために、前記少なくとも１つのコンピュータプロセッサに、
前記外部デバイスに送信するチャレンジ鍵を生成させ、
前記チャレンジ鍵を前記外部デバイスに送信させ、
前記認証に係る情報の一部として応答コードを含んでいる前記チャレンジ鍵の送信に対する応答を前記外部デバイスから受信させ、
秘密鍵と前記応答コードを入力として用いて、前記ポータブル電気エネルギー蓄積デバイス用保障システムおよび少なくとも１つの承認された外部デバイスにのみ知られている秘密アルゴリズムから出力を生成させ、
前記秘密アルゴリズムから生成された前記出力を前記応答コードと比較させ、
前記命令群が実行されることにより、少なくとも１つのコンピュータプロセッサに、前記比較に基づいて、前記ポータブル電気エネルギー蓄積デバイス用ロック機構をロック解除するかの判断を行なわせ、
前記認証に係る情報が受信されると、前記判断に基づいて、動作可能に車両と接続された状態からの前記ポータブル電気エネルギー蓄積デバイスの取外しを可能にするために、コントローラに前記ポータブル電気エネルギー蓄積デバイス用ロック機構をロック解除させる、
媒体。
【請求項２２】
コンピュータにより実行可能な命令群を記憶したコンピュータにより読み取り可能かつ非一時的な媒体であって、
前記命令群が実行されることにより、少なくとも１つのコンピュータプロセッサに、
外部デバイスの認証に係る情報を受信させ、
動作可能に車両と接続された状態からの前記ポータブル電気エネルギー蓄積デバイスの取外しを可能にするために、前記認証に係る情報に基づいて、ポータブル電気エネルギー蓄積デバイス用ロック機構をロック解除するかの判断をさせ、
前記判断にあたっては、受信した前記認証に係る情報から得たコードを、前記ポータブル電気エネルギー蓄積デバイスに関連付けられた少なくとも１つのコードと比較させ、
前記認証に係る情報から得た前記コードが、前記ポータブル電気エネルギー蓄積デバイスに関連付けられた少なくとも１つのコードとマッチする場合、動作可能に前記車両と接続された状態からの前記ポータブル電気エネルギー蓄積デバイスの取外しを可能にするために、前記ポータブル電気エネルギー蓄積デバイス用ロック機構をロック解除する信号を送信させ、
所定期間の経過後に、前記ポータブル電気エネルギー蓄積デバイスの通信モジュールを介して前記認証に係る情報が受信されていない場合、あるいは、所定期間の経過後に、前記認証に係る情報から得た前記コードが、前記ポータブル電気エネルギー蓄積デバイスに関連付けられた少なくとも１つのコードとマッチしない場合、動作可能に前記車両と接続された状態からの前記ポータブル電気エネルギー蓄積デバイスの取外しを不能にするために、前記ポータブル電気エネルギー蓄積デバイス用ロック機構をロックする信号を送信させる、
媒体。